(57)【要約】【課題】風の強さに関係なくスクリーンの下端の振れを確実に防止することができるロールブラインドの振れ止め具を提供する。【解決手段】建家Ａに開口する窓枠Ａ１の上縁から下縁までの間を、巻回された状態から導出されるスクリーン２０によって建家Ａの外方から覆うようにしたロールブラインド２において、そのスクリーン２０の下端を振れ止めするための振れ止め具１を前提とする。そして、窓枠Ａ１の下縁の左右両側に固着部１３を介して一端がそれぞれ取り付けられ、他端が建家Ａの外方に向かって延びる左右一対の振れ止め具本体１１と、各振れ止め具本体１１の他端に設けられ、スクリーン２０の下端を把持する把持部１２と、を備えている。【選択図】図１
0003183677.tif 000002
【実用新案登録請求の範囲】
【請求項１】
建家に開口する開口部の上縁から下縁までの間を、巻回された状態から導出されるスクリーンによって前記建家の外方から覆うようにしたロールブラインドにおいて、そのスクリーンの下端を振れ止めするための振れ止め具であって、
前記開口部の下縁の左右両側に一端がそれぞれ取り付けられ、他端が前記建家の外方に向かって延びる左右一対の振れ止め具本体と、
前記各振れ止め具本体の他端に設けられ、前記スクリーンの下端を把持する把持部と、
を備えていることを特徴とするロールブラインドの振れ止め具。
【請求項２】
前記把持部は、前記スクリーンの下端に設けられた断面略円環状又は断面略円形状の棒状体の両端部の外周面上において周方向へ等間隔で繰り返される複数の凹部又は凸部に対し外嵌する外嵌部を備えている請求項１に記載のロールブラインドの振れ止め具。
【請求項３】
前記各振れ止め具本体は、前記開口部の下縁に一端を取り付けた一側部材と、前記把持部を他端に設けた他側部材とを備えているとともに、前記他側部材の一端を前記一側部材の他端に対し前記開口部の下縁の左右方向へ延びる軸回りに回転させる回転支持部を備えており、
前記回転支持部には、前記一側部材の他端に対する前記他側部材の一端の回転を規制する回転規制部が設けられている請求項１又は請求項２に記載のロールブラインドの振れ止め具。
【考案の詳細な説明】
【技術分野】
【０００１】
本考案は、建家に開口する開口部の上縁から下縁までの間を建家の外方から覆うようにしたロールブラインドにおいてそのスクリーンの下端を振れ止めするための振れ止め具に関する。
【背景技術】
【０００２】
従来より、この種のロールブラインドは、開口部の上縁において回転自在に支持された芯材にスクリーンを巻回し、この状態から開口部を建家の外方から覆うようにスクリーンの導出端が芯材から下方へ導出されるようにしたものが知られている（例えば、特許文献１参照）。
【０００３】
また、芯材に巻回されたスクリーンの導出端を開口部の上縁に支持し、芯材からスクリーンを導出させながら当該芯材を下方へ移動させて、開口部を建家の外方から覆うようにした、所謂ロールアップタイプのロールブラインドもある（例えば、特許文献２参照）。
【先行技術文献】
【特許文献】
【０００４】
【特許文献１】特許第４０５７７８９号公報
【特許文献２】特許第４６９５９１０号公報
【考案の概要】
【考案が解決しようとする課題】
【０００５】
ところで、前記従来のものでは、いずれもスクリーンが建家の外方から開口部を覆うものであるため、自由端となるスクリーンの下端が風などで振られて建家に当接し、建家に傷が付いたり、スクリーンの下端が破損したりするおそれがある。その場合、スクリーンの下端に錘などの振れ止め具を取り付けて、スクリーンの下端の振れを抑制することが考えられる。
【０００６】
しかし、このような振れ止め具では、風の強さによってスクリーンの下端が大きく振られることがあり、その対策が切望されていた。
【０００７】
本考案は、かかる点に鑑みてなされたものであり、その目的とするところは、風の強さに関係なくスクリーンの下端の振れを確実に防止することができるロールブラインドの振れ止め具を提供することにある。
【課題を解決するための手段】
【０００８】
上記目的を達成するため、本考案では、建家に開口する開口部の上縁から下縁までの間を、巻回された状態から導出されるスクリーンによって前記建家の外方から覆うようにしたロールブラインドにおいて、そのスクリーンの下端を振れ止めするための振れ止め具を前提とする。そして、前記開口部の下縁の左右両側に一端がそれぞれ取り付けられ、他端が前記建家の外方に向かって延びる左右一対の振れ止め具本体と、前記各振れ止め具本体の他端に設けられ、前記スクリーンの下端を把持する把持部と、を備えることを特徴としている。
【０００９】
また、前記把持部に、前記スクリーンの下端に設けられた断面略円環状又は断面略円形状の棒状体の両端部の外周面上において周方向へ等間隔で繰り返される複数の凹部又は凸部に対し外嵌する外嵌部を設けることが好ましい。
【００１０】
更に、前記各振れ止め具本体は、前記開口部の下縁に一端を取り付けた一側部材と、前記把持部を他端に設けた他側部材とを備えるとともに、前記他側部材の一端を前記一側部材の他端に対し前記開口部の下縁の左右方向へ延びる軸回りに回転させる回転支持部を備える。そして、前記回転支持部に、前記一側部材の他端に対する前記他側部材の一端の回転を規制する回転規制部を設けることが好ましい。
【考案の効果】
【００１１】
以上、要するに、開口部の下縁の左右両側にそれぞれ一端を取り付けて建家の外方に向かって延びる左右一対の振れ止め具本体の他端に、スクリーンの下端を把持する把持部を設けることで、自由端となるスクリーンの下端が開口部から建家の外方に離れた位置で把持部によって把持される。これにより、風の強さによってスクリーンの下端が大きく振られることがなく、風の強さに関係なくスクリーンの下端の振れを確実に防止することができる。
【００１２】
また、スクリーン下端の棒状体両端部の外周面上において周方向に等間隔で繰り返される複数の凹部又は凸部に対し、把持部の外嵌部を外嵌させることで、棒状体の両端部を回転不能に嵌合してより確実に把持することができる。
【００１３】
更に、各振れ止め具本体の一側部材の他端に対する開口部下縁の左右方向へ延びる軸回りでの他側部材の一端の回転を規制することで、スクリーンの下端を把持部によって把持した状態で、他側部材の回転角度を自由に変更しつつ建家に対するスクリーンの下端の接離位置を自在に変更することができる。
【図面の簡単な説明】
【００１４】
【図１】本考案の実施の形態に係る振れ止め具を用いてスクリーンの下端を振れ止めした状態を示すロールブラインドの一部切り欠き斜視図である。
【図２】図１の一方の振れ止め具を上方から見た平面図である。
【図３】一方の振れ止め具を窓枠の幅方向内方から見た一側面図である。
【図４】一方の振れ止め具を窓枠の幅方向外方から見た他側面図である。
【図５】一方の振れ止め具のベース部材及びアーム部材の一端側を手ねじ部材の軸芯付近で切断して下方から見た横断底面図である。
【図６】他方の振れ止め具を斜め上方から見た斜視図である。
【図７】一方の振れ止め具の把持部付近を窓枠の幅方向外方から見た斜視図である。
【図８】一方の振れ止め具のアーム部材の回転角度をベース部材に対して上方へ変更させた状態で右側方から見た斜視図である。
【図９】一方の振れ止め具のアーム部材の回転角度をベース部材に対して下方へ変更させた状態で右側方から見た斜視図である。
【考案を実施するための形態】
【００１５】
以下、添付図面を参照しながら、本考案の実施の形態について説明し、本考案の理解に供する。なお、以下の実施の形態は、本考案を具体化した一例であって、本考案の技術的範囲を限定する性格のものではない。
【００１６】
図１は本考案の実施の形態に係る振れ止め具を用いてスクリーンの下端を振れ止めした状態を示すロールブラインドの一部切り欠き斜視図、図２は図１の一方の振れ止め具を上方から見た平面図それぞれ示している。
【００１７】
図１において、１は本考案の実施の形態に係るロールブラインドの左右一対の振れ止め具（図１及び図２では一方のもののみ示す）であって、この各振れ止め具１は、建家Ａに開口する開口部としての窓枠Ａ１の上縁Ａ２に上端が取り付けられたロールブラインド２においてそのスクリーン２０の下端を振れ止めするために供される。ロールブラインド２は、所謂ロールアップタイプのものである。また、窓枠Ａ１は、上縁Ａ２、下縁Ａ３、左右両側縁Ａ４（図１では左側縁のみ示す）によって構成された略矩形枠状の腰窓に用いられるものであり、アルミサッシにより形成されている。
【００１８】
スクリーン２０は、メッシュ状に織られた織物よりなり、棒状体としての断面略円環状の芯材２１の周りに巻回されて導出可能に構成されている。スクリーン２０の導出端には、その幅方向全域に亘って延びる支持具２２が固定されている。支持具２２は、断面略コ字状の本体部２３と、この本体部２３より上方へ延びるプレート片２４とを備えている。支持具２２は、プレート片２４の長手方向等間隔おきに貫通孔（図示せず）を有し、この貫通孔を窓枠Ａ１の上縁Ａ２に取り付けられたＬ字状のフック２５に挿通させることによって、窓枠Ａ１の上縁Ａ２に係止されている。なお、芯材２１が断面略円形状に形成されていてもよい。
【００１９】
芯材２１は、その外周囲の左右両側部にそれぞれ巻回される左右一対の昇降紐２６（図１では一方のみ示す）によって、スクリーン２０と共に支持されている。具体的には、昇降紐２６は、一端が支持具２２の本体部２３の左右両端部にそれぞれ止着され、芯材２１の外周囲を回って本体部２３の内部に左右両側部より導入されて、左右両側部のうちの左側から右側に導かれた一方の昇降紐２６が他方の昇降紐と共に係止具（図示せず）で係止されることで、スクリーン２０の巻き上げ方向への巻上量及び巻き出し方向への導出量を調整するようにしている。
【００２０】
そして、スクリーン２０を巻き上げるときには、双方の昇降紐２６を引き下ろし、当該各昇降紐２６の一端から係止具までの長さを短くすることで、芯材２１がその軸回りにスクリーン２０を巻き取りながら上方へ移動してスクリーン２０が上げられる。そして、双方の昇降紐２６の引き下ろし動作を停止すれば、各昇降紐２６が係止具により係止される。
【００２１】
一方、スクリーン２０を巻き出すときには、双方の昇降紐２６を係止具による係止が解除される方向（係止具から離れる方向）に移動させてから、各昇降紐２６を上方へ送り出し、当該各昇降紐２６の一端から係止具までの長さを長くすることで、芯材２１がスクリーン２０を巻き出しながら下方へ移動してスクリーン２０が下ろされる。そして、双方の昇降紐２６を係止具に近付ける方向に移動させて当該各昇降紐２６の送り出し動作を停止すれば、各昇降紐２６が係止具により係止される。
【００２２】
振れ止め具１は、窓枠Ａ１の下縁Ａ３の左右両側に基端（一端）がそれぞれ取り付けられ、先端（他端）が建家Ａの外方に向かって延びる左右一対の振れ止め具本体１１と、各振れ止め具本体１１の先端（他端）に設けられ、スクリーン２０の下端を把持する把持部１２とを備えている。各振れ止め具本体１１は、ＡＢＳ樹脂などの硬質樹脂材により成形されている。そして、各振れ止め具本体１１は、窓枠Ａ１の下縁Ａ３に固着されるステンレス製の固着部１３を一端（振れ止め具本体１１の基端）に取り付けた一側部材としてのベース部材１１１と、他端（振れ止め具本体１１の先端）に把持部１２を一体的に設けた他側部材としてのアーム部材１１２とを備えている。また、ベース部材１１１の一端は、固着部１３側に向かって突出する突片１１３を有し、この突片１１３が固着部１３の外側片１３１に対し上下方向一側から当接して位置決めされている。また、図２にも示すように、アーム部材１１２は、ベース部材１１１をそのまま建家Ａの外方へ延ばした後に、窓枠Ａ１の幅方向（左右方向）外方へ向かって建家Ａの斜め外方向きに延びてから先端部を建家Ａの外方へ向かって真っ直ぐ延ばしている。
【００２３】
図３は一方の振れ止め具１を窓枠Ａ１の幅方向内方から見た一側面図、図４は一方の振れ止め具１を窓枠Ａ１の幅方向外方から見た他側面図、図５は一方の振れ止め具１のベース部材１１１及びアーム部材１１２の一端側を手ねじ部材の軸芯付近で切断して下方から見た横断底面図をそれぞれ示している。
【００２４】
図３及び図４に示すように、固着部１３は、窓枠Ａ１の下縁Ａ３よりも外側に位置する外側片１３１と、窓枠Ａ１の下縁Ａ３よりも内側に位置する内側片１３２と、外側片１３１と内側片１３２とを互いの上下方向一側端同士を連結する連結片１３３とで断面略コ字状に形成されている。また、図５に示すように、ベース部材１１１の一端は、固着部１３の外側片１３１にビス１１０によって固着されている。更に、固着部１３は、窓枠Ａ１の下縁Ａ３に沿って左右方向へ延び、窓枠Ａ１の下縁Ａ３を外側片１３１及び内側片１３２によって建家Ａの内外方向から挟み込んだ状態で、建家Ａの外方からの外側片１３１のねじ孔１３４への手ねじ部材１３５の締め込みによって窓枠Ａ１の下縁Ａ３に対し可撓性のあるポリ塩化ビニル製のシート材１３６を介して弾性的に止着される。また、ベース部材１１１は、固着部１３の外側面に取り付けられて建家Ａの外方へ突出している。
【００２５】
図６は他方の振れ止め具１を斜め上方から見た斜視図を示している。この図６において、他方の振れ止め具１は、一方の振れ止め具１と対をなし、一方の振れ止め具１の振れ止め具本体１１を上下反転させて用いられる。このとき、一方の振れ止め具１では、ベース部材１１１一端の突片１１３によって固着部１３の外側片１３１の下端を位置決めしているのに対し、他方の振れ止め具１では、ベース部材１１１一端の突片１１３によって固着部１３の外側片１３１の上端を連結片１３３を介して位置決めしている。
【００２６】
図７は一方の振れ止め具１を窓枠Ａ１の幅方向外方から見た斜視図を示し、この図７において、把持部１２は、先端側（建家Ａの外方側）に位置する周方向の一部が開口する断面略Ｃ字状に形成され、その開口により拡径されるようになっている。また、芯材２１の両端の外周面上には、周方向に等間隔で繰り返される複数の凹部２７，２７，…が設けられている。一方、把持部１２の内周面には、外嵌部２８が設けられている。この外嵌部２８は、周方向に等間隔で繰り返される複数の凸部よりなり、把持部１２を拡径させた状態で、芯材２１両端の各凹部２７に対し芯材２１の半径方向外方からそれぞれ外嵌される。
【００２７】
図８は一方の振れ止め具１のアーム部材１１２の回転角度をベース部材１１１に対して上方へ変更させた状態で右側方から見た斜視図、図９は一方の振れ止め具１のアーム部材１１２の回転角度をベース部材１１１に対して下方へ変更させた状態で右側方から見た斜視図をそれぞれ示している。
【００２８】
更に、図８及び図９にも示すように、各振れ止め具本体１１のベース部材１１１の他端とアーム部材１１２の一端との間には、ベース部材１１１に対しアーム部材１１２をスクリーン２０の巻き上げ方向及び巻き出し方向に沿って上下方向に回転させる回転支持部１４が設けられている。この回転支持部１４には、ベース部材１１１に対するアーム部材１１２の回転を規制する回転規制部１５が設けられている。
【００２９】
回転支持部１４は、互いに対向するベース部材１１１の他端及びアーム部材１１２の一端に設けられ、かつ双方が共に同心円上の相似円形状に形成されて窓枠Ａ１の下縁Ａ３の左右方向で互いに対向する対向面（図示せず）と、この両対向面の中心に挿通されて窓枠Ａ１の下縁Ａ３の左右方向に延び、ベース部材１１１の他端及びアーム部材１１２の一端を互いに接離方向（窓枠Ａ１の下縁Ａ３の左右方向）へ進退移動させる手ねじ部材１５３と、ベース部材１１１の対向面の裏面側に嵌挿され、手ねじ部材１５３が螺着されるナット部材１５０とを備えている。また、回転規制部１５は、ベース部材１１１他端の対向面及びアーム部材１１２一端の対向面の周縁にそれぞれ設けられ、かつ三角波形の同一ピッチで同じ大きさの連続した凹凸部１５４，１５５を備えている。この回転規制部１５は、手ねじ部材１５３を弛めて対向面同士を離間することで、ベース部材１１１に対して手ねじ部材１５３の軸芯回りにアーム部材１１２の一端が回転し、当該アーム部材１１２の回転角度が変更される。そして、ベース部材１１１に対するアーム部材１１２の回転角度を変更した状態で、手ねじ部材１５３を締めて凹凸部１５４，１５５同士を嵌合させることで、アーム部材１１２の回転が規制され、当該アーム部材１１２の回転角度が固定される。
【００３０】
そして、把持部１２の軸芯（芯材２１の軸芯）は、手ねじ部材１５３の軸芯に対し窓枠Ａ１の幅方向外方において交叉するように略５°傾斜している。このため、把持部１２の外嵌部２８に凹部２７を嵌合した芯材２１の両端が同様に略５°程度傾斜した状態で把持される。これにより、ベース部材１１１に対するアーム部材１１２の回転角度を略水平に固定した際には窓枠Ａ１の下縁Ａ３でのスクリーン２０の両端との間の隙間が狭くなって、外方からの目隠し効果を十分に発揮することができる。
【００３１】
したがって、本実施の形態では、窓枠Ａ１の下縁Ａ３の左右両側にそれぞれ一端を取り付けて建家Ａの外方に向かって延びる左右一対の振れ止め具本体１１の他端に、スクリーン２０の下端を把持する把持部１２が設けられているので、自由端となるスクリーン２０の下端が窓枠Ａ１の下縁Ａ３から建家Ａの外方に離れた位置で把持部１２によって把持される。これにより、風の強さによってスクリーン２０の下端が大きく振られることがなく、風の強さに関係なくスクリーン２０の下端の振れを確実に防止することができる。
【００３２】
また、スクリーン２０下端の芯材２１両端の外周面上において周方向に等間隔で繰り返される各凹部２７に対し、把持部１２の内周面上において周方向に等間隔で繰り返される外嵌部２８の各凸部が外嵌されているので、芯材２１の両端を回転不能に嵌合してより確実に把持することができる。
【００３３】
しかも、他方の振れ止め具１が一方の振れ止め具１の振れ止め具本体１１を上下反転させて用いられるので、振れ止め具本体１１を兼用することができる。
【００３４】
更に、振れ止め具本体１１のベース部材１１１の他端に対するアーム部材１１２の回転が回転規制部１５によって規制されているので、スクリーン２０の下端を把持部１２によって把持した状態で、アーム部材１１２の回転角度を自由に変更しつつ建家Ａに対するスクリーン２０の下端の接離位置も自在に変更することができる。
【００３５】
なお、本考案は、前記実施の形態に限定されるものではなく、その他種々の変形例を包含している。例えば、前記実施の形態では、振れ止め具１をロールアップタイプのロールブラインド２に適用した場合について述べたが、窓枠の上縁において回転自在に支持された芯材にスクリーンを巻回し、この状態から窓枠を建家の外方から覆うようにスクリーンの導出端が芯材から下方へ導出されるようにしたロールブラインドにも適用できるのはいうまでもない。この場合、スクリーンの導出端に棒状体を取り付け、この棒状体の両端を振れ止め具によって把持すればよい。
【００３６】
また、前記実施の形態では、スクリーン２０下端の芯材２１両端の外周面上の各凹部２７に対し、把持部１２の内周面上において周方向に等間隔で繰り返される外嵌部２８の各凸部を外嵌させたが、芯材両端の外周面上において周方向に等間隔で繰り返される凸部を設け、この凸部に対し、把持部の内周面上において周方向に等間隔で繰り返される外嵌部の各凹部が外嵌されていてもよい。これに対し、芯材両端の平坦な外周面に対し内周面が平坦な外嵌部が外嵌されていてもよい。
【００３７】
更に、前記実施の形態では、把持部１２の軸芯を手ねじ部材１５３の軸芯に対し窓枠Ａ１の幅方向外方において交叉するように略５°傾斜させたが、この手ねじ部材の軸芯に対する把持部の軸芯の傾斜角度は特に規定されるものではなく、把持部の軸芯が手ねじ部材の軸芯に対し平行であってもよいのはもちろんのこと、把持部の軸芯が手ねじ部材の軸芯に対し窓枠の幅方向外方において交叉するように５°未満又は６°以上傾斜していてもよい。
【符号の説明】
【００３８】
１        振れ止め具
１１      振れ止め具本体
１１１    ベース部材（一側部材）
１１２    アーム部材（他側部材）
１２      把持部
１４      回転支持部
１５      回転規制部
２        ロールブラインド
２０      スクリーン
２１      芯材（棒状体）
２７      凹部
２８      外嵌部
Ａ        建家
Ａ１      窓枠（開口部）
Ａ２      上縁
Ａ３      下縁
【図１】
0003183677.tif 000003
【図２】
0003183677.tif 000004
【図３】
0003183677.tif 000005
【図４】
0003183677.tif 000006
【図５】
0003183677.tif 000007
【図６】
0003183677.tif 000008
【図７】
0003183677.tif 000009
【図８】
0003183677.tif 000010
【図９】
0003183677.tif 000011